(57)【特許請求の範囲】
【請求項１】
所要長さの把持パイプと、該把持パイプが挿通する保持部材と、該保持部材に一端が保持され且つ他端が前記把持パイプの先端部に取り付けられた複数本の線材からなる攪拌体とを少なくとも備え、
前記保持部材を前記把持パイプに沿って前方又は後方にスライドさせると前記攪拌体が膨出状態又はストレート状態に形状変形する泡立器であって、
前記保持部材は、中空の筒体と、該筒体の上部に位置する押え板とからなり、
該押え板及び前記筒体の中心位置には、前記把持パイプが挿通する挿通孔が形成されており、
前記筒体の周縁には前記線材が挿通する挿通小孔が複数形成されており、
該挿通小孔の上部には、前記線材の一端を保持する保持部が前記押え板に設けられており、
前記先端部は、円盤状に形成され、且つ前記先端部の周縁には、前記線材の他端が係止する孔部が複数形成されていること
を特徴とする泡立器。
【請求項２】
把持パイプには、前記保持部材を所定位置に係止するストッパーが設けられていることを特徴とする請求項１に記載の泡立器。
【請求項３】
線材の他端側は、螺旋状に形成されていることを特徴とする請求項１に記載の泡立器。
【請求項４】
各線材には、線材同士の開き間隔を所定幅に維持するクリップが取り付けられていることを特徴とする請求項１に記載の泡立器。
【発明の詳細な説明】
【０００１】
【発明の属する技術分野】
本発明は、調理や菓子作りなどの際に液体状の食材を攪拌したり、小麦粉を水に溶かしたり、或いは卵や生クリームなどを泡立てるために使用する泡立器に関するものである。
【０００２】
【従来の技術】
従来、この種の泡立器は、例えば図１２に示すように、手で持つ把持部１と、この把持部１の端部に設けられた攪拌体２とから構成される。
【０００３】
把持部１は、円筒状に形成されると共に、その表面に滑り止め用の突状部３が複数設けられている。また、把持部１の一端部にはキャップ４が取り付けられており、他端部には攪拌体２を保持するための保持体５が形成されている。
【０００４】
攪拌体２は、略Ｕ字状に湾曲させた複数本の線材６、６…からなり、各線材６の両方の端部が前記保持体５の内部にそれぞれ進入して固定状態に保持されている。そして、線材６、６…は、先端部に向かって徐々に膨出した形状に形成されている。
【０００５】
【発明が解決しようとする課題】
この従来例の泡立器においては、攪拌体２（線材６、６…）の内側に小麦粉のダマなどが付着してしまい、そのダマは粘性が強くて簡単に取り除けないので、攪拌が完全に行えないという欠点がある。
そして、その付着したダマを取り除くために攪拌体２をボウルの縁部に叩き付けたりするので、食材が周囲に飛び散って厄介であった。
また、攪拌体２の内側に付着した食材は、水で洗い流すこととなり、材料無駄が生じて不経済である。
【０００６】
更に、攪拌体２は、先端に向かって膨出した形状であるので、台所などに泡立器を収納する場合には案外広い収納スペースが必要であるという欠点もある。そして、泡立器を他の調理器具と一緒に収納した場合には、攪拌体２が転がって収納状態が不安定になり他の調理器具の取り出しが厄介になる。
【０００７】
更にまた、泡立器の製造工場などにおいては、攪拌体２の膨出した形状に合わせた大きな包装材を必要とし、更に、問屋などにおいては包装された泡立器を多数保管するための広い保管場所を必要とすることとなり、結果的に包装コストや保管コスト、物流コストが高くなってしまうという問題点もある。
【０００８】
従って、従来例における泡立器においては、攪拌体２の内側に付着したダマや食材を簡単に取り除けるようにすることと、コンパクトに収納できるようにして前述の種々の問題点を解消することとに解決しなければならない課題を有している。
【０００９】
【課題を解決するための手段】
前記従来例の課題を解決する具体的手段として本発明は、所要長さの把持パイプと、該把持パイプが挿通する保持部材と、該保持部材に一端が保持され且つ他端が前記把持パイプの先端部に取り付けられた複数本の線材からなる攪拌体とを少なくとも備え、前記保持部材を前記把持パイプに沿って前方又は後方にスライドさせると前記攪拌体が膨出状態又はストレート状態に形状変形する泡立器であって、前記保持部材は、中空の筒体と、該筒体の上部に位置する押え板とからなり、該押え板及び前記筒体の中心位置には、前記把持パイプが挿通する挿通孔が形成されており、前記筒体の周縁には前記線材が挿通する挿通小孔が複数形成されており、該挿通小孔の上部には、前記線材の一端を保持する保持部が前記押え板に設けられており、前記先端部は、円盤状に形成され、且つ前記先端部の周縁には、前記線材の他端が係止する孔部が複数形成されていることを特徴とする泡立器を提供するものである。
【００１０】
また、前記把持パイプには、前記保持部材を所定位置に係止するストッパーが設けられている構成としたものであり、そして、前記線材の他端側は、螺旋状に形成されている構成を含むものであり、更に、前記各線材には、線材同士の開き間隔を所定幅に維持するクリップが取り付けられている構成を含むものである。
【００１１】
本発明に係る泡立器においては、把持パイプをスライドさせて攪拌体を膨出状態からストレート状態にすれば、攪拌体の内側や把持パイプに付着したダマや食材が攪拌体の外側に移動して簡単に取り除くことができる。従って、食材の攪拌が充分に行え、更には水洗いによる材料無駄も少なくなる。
更に、攪拌体をストレート状態にすれば、泡立器をコンパクトに収納することができるだけでなく、包装材の大きさや保管スペース或いは流通過程においてコストダウンが図れる。
【００１２】
【発明の実施の形態】
次に、本発明の実施の形態について図面を参照しながら説明する。まず、図１及び図２に示す第１実施例において、符号１１は泡立器を示し、この泡立器１１は、所要長さの把持パイプ１２と、この把持パイプ１２が挿通する円筒状の保持部材１３と、この保持部材１３に一端が保持され且つ他端が把持パイプ１２の先端部１４に取り付けられた複数本の線材１５、１５…からなる攪拌体１６とから構成される。
【００１３】
把持パイプ１２は、円筒状又は円柱状を呈し、上部に指掛け板１７が設けられている。この指掛け板１７には、指を差し入れて引っ掛けるための適宜大きさの孔を形成してもよい。
また、把持パイプ１２の下部には円盤状の先端部１４が設けられており、この先端部１４の周縁には、図３及び図４に示すように、線材１５、１５…の他端が係止される孔部１８が所定の間隔を開けて複数形成されている。
更に、把持パイプ１２の所定位置には、ストッパー１２ａが設けられており、このストッパー１２ａは、把持パイプ１２の内部に配設したバネ材（図示せず）で外部に付勢されて、出没可能に形成されている。
【００１４】
保持部材１３は、図５に示すように中空の筒体１９と、この筒体１９の上部に位置し且つネジ２０止めされた押え板２１とからなり、この押え板２１及び筒体１９の略中心位置には、把持パイプ１２が挿通する挿通孔２２が貫通状態で形成されている。
また、筒体１９の周縁には線材１５、１５…が挿通する挿通小孔１９ａ、１９ｂが複数形成されており、そして、挿通小孔１９ａの上部には、押え板２１に凹部が形成されて保持部２３が設けられている。
【００１５】
線材１５は、針金状の部材で形成されており、この線材１５の一端が折り曲げられてＬ字状部１５ａが形成され、このＬ字状部１５ａが前記保持部２３に固定状態に位置している。また、線材１５の他端がリング状部１５ｂに形成されて先端部１４の孔部１８に係止している。
更に、線材１５の他端側は、線材が所要長さ螺旋状に形成されて螺旋状部２４が設けられている。
【００１６】
次に、泡立器１１の使用方法について説明する。まず、台所などに収納する際には、図１に示すように、保持部材１３を把持パイプ１２の後方に位置させて攪拌体１６（線材１５、１５…）をストレート状態にしておき、泡立器１１をコンパクトにしておく。
そして、泡立器１１を使用するときには、図２に示すように、保持部材１３を把持パイプ１２に沿って前方にスライド（矢印参照）させ、攪拌体１６を外側に膨出させる。このとき、各線材１５のリング状部１５ｂは、図４に示すように、矢印方向に回動する。
また、各線材１５、１５…には、真っ直ぐに伸びようとする反発力が生じており、この反発力によって保持部材１３が後方（図２の矢印と反対方向）に付勢されるが、ストッパー１２ａが保持部材１３の上端を係止するので、保持部材１３は所定の位置に留まり、攪拌体１６の膨出状態が維持される。
【００１７】
そして、攪拌体１６の内側にダマや食材が付着したときなどには、指でストッパー１２ａを把持パイプ１２の内部に押し込み、保持部材１３との係止状態を解除し、且つ各線材１５、１５…の反発力によって保持部材１３を後方にスライドさせる。更に手で保持部材１３を引っ張って後方にスライドさせ攪拌体１６をストレート状態に形状変化させれば、ダマや食材が攪拌体１６の外側に移動するので簡単に取り除くことができる。またその状態で洗浄しておけばコンパクトに収納できる。
【００１８】
次に、図６から図９に本発明の第２実施例に係る泡立器３０を示す。この第２実施例において、前記第１実施例と同一部分には同一符号を付してその詳細は省略する。
【００１９】
線材３１は、一端から他端に渡って真っ直な形状に形成されており、第１実施例のような螺旋状部２４は設けられていない。従って、保持部材１３を前方にスライドさせて攪拌体１６を膨出させると線材３１の全体に渡って均等な押圧力が掛かることになり、線材３１の上部も膨出してしまうこととなるので、線材３１同士の間にクリップ３２を取り付けて、線材３１同士の上部の開き間隔を所定幅に維持している。
【００２０】
次に、図１０及び図１１に本発明の第３実施例に係る泡立器３５の先端部３６を示す。この第３実施例において、前記第１及び第２実施例と同一部分には同一符号を付してその詳細は省略する。
【００２１】
先端部３６は円盤状を呈し、その周縁には、所定の間隔を開けて切欠部３７が複数形成されており、また、先端部３６の外周面に沿った略中央位置には、凹部３８が形成されている。そして、凹部３８には針金材３９が巻回されており、この針金材３９には、線材１５の他端のリング状部１５ｂが係止している。また、線材１５は切欠部３７に収まっている。
このように形成することによって、針金材３９に線材１５のリング状部１５ｂを係止させてから、線材１５を切欠部３７に沿わせて、針金材３９の両端を接続すればよく、製造が簡単に行える。
【００２２】
このように構成された第１から第３実施例に係る泡立器においては、保持部材１３を後方にスライドさせ攪拌体１６をストレート状態に形状変化することができるので、ダマや食材を攪拌体１６の外側に移動させて簡単に取り除くことができるばかりでなく、泡立器をコンパクトに収納できる。
【００２３】
【発明の効果】
以上説明したように本発明に係る泡立器は、所要長さの把持パイプと、該把持パイプが挿通する保持部材と、該保持部材に一端が保持され且つ他端が前記把持パイプの先端部に取り付けられた複数本の線材からなる攪拌体とを少なくとも備え、前記保持部材を前記把持パイプに沿って前方又は後方にスライドさせると前記攪拌体が膨出状態又はストレート状態に形状変形する泡立器であって、前記保持部材は、中空の筒体と、該筒体の上部に位置する押え板とからなり、該押え板及び前記筒体の中心位置には、前記把持パイプが挿通する挿通孔が形成されており、前記筒体の周縁には前記線材が挿通する挿通小孔が複数形成されており、該挿通小孔の上部には、前記線材の一端を保持する保持部が前記押え板に設けられており、前記先端部は、円盤状に形成され、且つ前記先端部の周縁には、前記線材の他端が係止する孔部が複数形成されていることによって、攪拌体をストレート状態にすれば、攪拌体の内側や把持パイプに付着したダマや食材が攪拌体の外側に移動するので簡単に取り除くことができる。従って、食材の攪拌が充分に行えると共に、水洗いによる材料無駄も少なくなるという優れた効果を奏する。
更に、攪拌体をストレート状態にすれば、泡立器をコンパクトに収納することができるだけでなく、包装材の大きさや保管スペース或いは流通過程においてコストダウンが図れるという優れた効果を奏する。
【００２４】
また、把持パイプには、前記保持部材を所定位置に係止するストッパーが設けられていることによって、攪拌体の膨出状態を維持できるという優れた効果を奏する。
【００２５】
そして、線材の他端側は、螺旋状に形成されていることによって、食材などの攪拌を効率的に行うことができるという優れた効果を奏する。
【００２６】
更に、各線材には、線材同士の開き間隔を所定幅に維持するクリップが取り付けられていることによって、攪拌体を膨出状態にしたときに必要以上に膨出しないという優れた効果を奏する。
【図面の簡単な説明】
【図１】本発明の第１実施例に係る泡立器の攪拌体をストレート状態にした正面図である。
【図２】本発明の第１実施例に係る泡立器の攪拌体を膨出状態にした正面図である。
【図３】図１の先端部を示す断面図である。
【図４】図２の先端部を示す断面図である。
【図５】保持体の断面図である。
【図６】本発明の第２実施例に係る泡立器の攪拌体をストレート状態にした正面図である。
【図７】本発明の第２実施例に係る泡立器の攪拌体を膨出状態にした正面図である。
【図８】図６の先端部を示す断面図である。
【図９】図７の先端部を示す断面図である。
【図１０】本発明の第３実施例に係る泡立器の先端部を示す斜視図である。
【図１１】図１０の先端部を示す断面図である。
【図１２】従来例に係る泡立器の正面図である。
【符号の説明】
１    把持部
２    攪拌体
３    突状部
４    キャップ
５    保持体
６    線材
１１  泡立器
１２  把持パイプ
１２ａストッパー
１３  保持部材
１４  先端部
１５  線材
１５ａＬ字状部
１５ｂリング状部
１６  攪拌体
１７  指掛け板
１８  孔部
１９  筒体
１９ａ挿通小孔
１９ｂ挿通小孔
２０  ネジ
２１  押え板
２２  挿通孔
２３  保持部
２４  螺旋状部
３０  泡立器
３１  線材
３２  クリップ
３５  泡立器
３６  先端部
３７  切欠部
３８  凹部
３９  針金材
【図１】
0004071904.tif 000002
【図２】
0004071904.tif 000003
【図３】
0004071904.tif 000004
【図４】
0004071904.tif 000005
【図５】
0004071904.tif 000006
【図６】
0004071904.tif 000007
【図７】
0004071904.tif 000008
【図８】
0004071904.tif 000009
【図９】
0004071904.tif 000010
【図１０】
0004071904.tif 000011
【図１１】
0004071904.tif 000012
【図１２】
0004071904.tif 000013